(57)【要約】      （修正有）【課題】マーキングおよび印刷システムに関し、湿し水画像を作成するために電子写真画像の霧現像を使用する、可変データリソグラフィシステムに関する。【解決手段】デジタル印刷システムは、液浸流体の層を受容するように構成された感光体層を含む。液浸流体は、湿し流体と、分散ガス粒子と、固体粒子に電荷を付与する電荷ディレクタと、を含む。感光体表面は、均一な電位に帯電され、画像データに従って、静電潜像を形成するために、ＲＯＳを使用して選択的に放電される。帯電した液浸流体は、静電潜像に従って、湿し水画像を形成するために、感光体表面の部分に付着する。湿し流体画像を形成するために、湿し水画像の流体部分は、作像部材および／または転写部材に部分的に転写することができ、これらのいずれかまたは両方は、電気的にバイアスされ得る。湿し流体画像は、転写部材上にインク付けされ、得られたインク画像は、印刷基材に転写される。【選択図】図２
2020008846.tif 000002
【特許請求の範囲】
【請求項１】
インク印刷に有用なインク系デジタル印刷システムであって、
前記作像部材上に湿し水画像を運ぶために構成された作像部材と、
前記作像部材の表面上に、第１の極性の静電荷像を形成する、画像形成ユニットと、
前記作像部材に近接し、前記静電荷像に引き寄せられて、前記作像部材上に前記湿し水画像を形成する帯電液滴の霧を形成するように適合されている現像ユニットと、
インク付けシステムであって、前記形成された湿し水画像に従って、インク付けされた画像を生成するために、インクを適用するように構成されている、インク付けシステムと、
前記インク付けされた画像を受容媒体に転写するためのインク転写ニップと、を備える、インク系デジタル印刷システム。
【請求項２】
前記インク付けシステムが、前記作像部材上の前記湿し水画像に従って、前記インク付けされた画像を生成するために、前記作像部材にインクを適用し、
前記インク付けされた画像を画像受容媒体基材に転写するプロセス方向において、前記インク付けシステムの下流に位置決めされたインク画像転写ステーションと、をさらに備える、請求項１に記載のシステム。
【請求項３】
転写部材であって、前記湿し水画像の制御された部分を前記転写部材上に分割するために、前記作像部材とともに転写ニップを形成する、転写部材、をさらに備え、
前記インク付けシステムが、前記転写部材上の前記湿し水画像の前記部分に従って、前記インク付けされた画像を生成するために、前記転写部材にインクを適用し、
前記インク付けされた画像が、前記画像受容媒体基材に適用される、請求項１に記載のシステム。
【請求項４】
前記現像ユニットが、
湿し水を受容するための入口と、前記帯電液滴の霧を形成する放出部と、をさらに備え、前記帯電液滴の霧が、前記湿し水の複数の実質的に均一なサイズの電気的に帯電された液滴を含む、請求項１に記載のシステム。
【請求項５】
前記現像ユニットが、
前記湿し水を前記現像ユニットから除去するための出口をさらに備える、請求項４に記載のシステム。
【請求項６】
前記現像ユニットが、
前記帯電液滴を前記作像部材に案内するように、前記放出部に近接して、かつ前記帯電液滴の霧に沿って配設された帯電表面をさらに備える、請求項４に記載のシステム。
【請求項７】
前記画像形成ユニットおよび前記現像ユニットを制御することによって、前記作像部材上に、所望の厚さを有する前記湿し水画像を作成するためのコントローラをさらに備え、
前記帯電液滴の霧が前記作像部材上の前記静電荷像を中和するまで、前記帯電液滴の霧が、前記静電荷に引き寄せられる、請求項４に記載のシステム。
【請求項８】
前記画像形成ユニットが、電子写真作像システムおよびイオノグラフィック作像システムのうちの少なくとも１つである、請求項４に記載のシステム。
【請求項９】
前記湿し水が、
シリコーン流体（Ｄ４、Ｄ５、ＯＳ２０、ＯＳ３０を含む）、アイソパー流体から本質的になる群から選択される湿し流体を含む、請求項８に記載のシステム。
【請求項１０】
前記作像部材が、
シリコーンエラストマー、フルオロシリコーンエラストマー、およびバイトンから本質的になる群から選択される表面を含む、請求項７に記載のシステム。
【請求項１１】
前記現像ユニットが、前記湿し水から液滴を作成し、前記帯電液滴の霧を形成するために、前記液滴をキャリアガス中に懸濁する、請求項１０に記載のシステム。
【請求項１２】
前記帯電液滴の霧が、凍結粒子からなる、請求項７に記載のシステム。
【請求項１３】
湿し水流体を使用するインク系デジタル印刷の方法であって、
画像形成ユニットおよび現像ユニットを使用して作像部材上に湿し水画像を形成することであって、前記現像ユニットが、前記作像部材に近接して位置決めされており、かつ静電荷像に引き寄せられて、前記作像部材上に前記湿し水画像を形成する帯電液滴の霧を形成するように適合されている、形成することと、
前記形成された湿し水の画像に従って、インク付けされた画像を生成するために、インク付けシステムを用いてインクを適用することと、
インク転写ニップにおいて、前記インク付けされた画像を印刷基材に転写することと、を含む、方法。
【請求項１４】
前記インク付けシステムが、前記作像部材上の前記湿し水画像に従って、前記インク付けされた画像を生成するために、前記作像部材にインクを適用し、
前記作像部材からの前記インク付けされた画像を、プロセス方向において、前記インク付けシステムの下流に位置決めされた転写ステーションにおいて、印刷基材に転写することを、さらに含む、請求項１３に記載の方法。
【請求項１５】
前記作像部材とともに転写ニップを形成する転写部材で、前記湿し水画像の制御された部分を前記転写部材上に分割することをさらに含み、
前記インク付けシステムが、前記転写部材上の前記湿し水画像の前記部分に従って、前記インク付けされた画像を生成するために、前記転写部材にインクを適用し、
前記インク付けされた画像が、ターゲット画像受容印刷基材に適用される、請求項１３に記載の方法。
【請求項１６】
前記現像ユニットが、湿し水を受容するための入口と、前記帯電液滴の霧を形成する放出部と、をさらに備え、前記帯電液滴の霧が、前記湿し水の複数の実質的に均一なサイズの電気的に帯電された液滴を含む、請求項１５に記載の方法。
【請求項１７】
前記現像ユニットが、前記現像ユニットから前記湿し水を除去するための出口をさらに備える、請求項１６に記載の方法。
【請求項１８】
前記現像ユニットが、前記帯電液滴を前記作像部材に案内するように、前記放出部に近接して、かつ前記帯電液滴の霧に沿って配設された帯電表面をさらに備える、請求項１６に記載の方法。
【請求項１９】
前記帯電液滴の霧が前記作像部材上の前記静電荷像を中和するまで、前記帯電液滴の霧が、前記静電荷に引き寄せられる、請求項１８に記載の方法。
【請求項２０】
所望の厚さを有する前記湿し水画像を形成するために、前記画像形成ユニットおよび前記現像ユニットを制御することをさらに含む、請求項１６に記載の方法。
【請求項２１】
前記画像形成ユニットが、電子写真作像方法およびイオノグラフィック作像方法のうちの少なくとも１つである、請求項１６に記載の方法。
【請求項２２】
前記湿し水が、
シリコーン流体（Ｄ４、Ｄ５、ＯＳ２０、ＯＳ３０を含む）、アイソパー流体から本質的になる群から選択される湿し流体を含む、請求項２１に記載の方法。
【請求項２３】
前記作像部材が、
シリコーンエラストマー、フルオロシリコーンエラストマー、およびバイトンから本質的になる群から選択される表面を含む、請求項２２に記載の方法。
【請求項２４】
前記帯電液滴の霧が、凍結粒子からなる、請求項２１に記載の方法。
【請求項２５】
前記現像ユニットが、前記湿し水から液滴を作成し、前記帯電液滴の霧を形成するために、前記液滴をキャリアガス中に懸濁する、請求項２３に記載の方法。
【発明の詳細な説明】
【技術分野】
【０００１】
本開示は、マーキングおよび印刷システムに関し、より具体的には、湿し水画像を作成するために電子写真画像の霧現像を使用する、可変データリソグラフィシステムに関する。
【０００２】
オフセットリソグラフィは、今日一般的な印刷方法である。本明細書の目的で、「印刷」および「マーキング」という用語は、同義的である。典型的なリソグラフィプロセスにおいて、平版、シリンダの表面、ベルトなどであり得る印刷版は、疎水性および親油性材料で形成される「画像領域」、ならびに親水性材料で形成される「非画像領域」を有するように形成される。画像領域は、インクなどの印刷またはマーキング材料によって占有されている最終印刷物（すなわち、対象基材）上の部分に対応する領域であり、一方、非印刷領域は、マーキング材料によって占有されていない最終印刷物上の部分に対応する領域である。
【０００３】
可変データリソグラフィ（デジタルリソグラフィまたはデジタルオフセットとも称される）印刷プロセスは、通常、作像ドラム上のシリコーン作像版を湿らせるために使用される湿し水で始まる。湿し水は、シリコーン版上に約１ミクロンほどの厚さである膜を形成する。ドラムは、画像画素が形成される位置で湿し水を除去するために、高出力レーザ作像装置が使用される「露出」ステーションに回転する。これは、湿し水系の「潜像」を形成する。次いで、ドラムは、リソグラフィ様インクが湿し水系の「潜像」に接触し、レーザが湿し水を除去した場所にインクが「現像」する「現像」ステーションにさらに回転する。インクは、版および基材上のより良好な付着力のために、通常は疎水性である。紫外線（ＵＶ）光を適用して、その結果インク中の光開始剤が、インクを部分的に硬化させて、紙などの印刷媒体への高効率転写のために準備することができる。次いで、ドラムは、インクが紙などの印刷媒体に転写される転写ステーションに回転する。シリコーン版は柔軟であるので、オフセットブランケットは、転写の促進のためには使用されない。インクが付着した紙にＵＶ光を適用して、紙上のインクを完全に硬化させることができる。インクは、紙上で約１ミクロンのパイル高さである。
【０００４】
印刷版上での画像の形成は、通常、「ＤＭＤ」（デジタルマイクロミラーデバイス）とも称される、デジタル光プロジェクタ（ＤＬＰ）マルチミラーアレイを照射するために、それぞれ線形出力の高出力赤外線（ＩＲ）レーザを用いる作像モジュールを用いて行われる。ミラーアレイは、コンピュータプロジェクタや一部のテレビで一般的に使用されているものと類似している。レーザは、ミラーアレイに一定の照射を提供する。ミラーアレイは、個々のミラーを偏向させて、画像平面上に画素を形成して、湿し水画像を作成するために、シリコーン版上で湿し水を画素状に蒸発させる。画素がオンにされない場合、その画素のためのレーザ照射がシリコーン表面に当たらないように、しかし冷却された光ダンプヒートシンクに入るように、その画素のためのミラーは偏向する。単一のレーザおよびミラーアレイは、交差プロセス方向に約１インチの作像能力を提供する作像モジュールを形成する。したがって、単一の作像モジュールは、所与の走査線に対して画像の１インチ×１画素線を同時に作像する。次の走査線では、作像モジュールは、次の１インチ×１画素線セグメントを作像する。いくつかのレーザおよびいくつかのミラーアレイを備え、一緒に突き合わされたいくつかの作像モジュールを使用することによって、非常に広い交差プロセス幅のための作像機能が達成される。
【０００５】
湿し水を蒸発させる必要があるため、作像モジュールにおいて、レーザの電力消費が、システム全体の総電力消費の大部分を占める。そのため、作像モジュールのための様々な省電力および省コスト技術が提案されている。例えば、印刷版上に形成される画像のサイズを縮小し、画素の深度を変更し、従来のラスタ出力スキャナ（ＲＯＳ）などの強力ではない画像作成源を代替する計画。最大５メートル／秒（５ｍ／ｓ）のプロセス速度要件で、１ミクロンの厚さの水膜を蒸発させるためには、従来の電子写真式ＲＯＳ作像装置よりも１０万倍ほどの電力が必要である。加えて、交差プロセス幅の要件は、３６インチほどであり、走査ビーム作像装置の使用は問題となる。したがって、印刷システムにおける電力消費を低減する特別な作像装置設計が必要とされる。見落とされがちな節電の分野は、ノンレーザ作像装置の使用、または湿し水画像を作成する代替方法である。
【０００６】
本明細書を一読および理解した上で、当業者には明らかとなるであろう、上述した理由により、また以下の他の理由により、可変データリソグラフィシステムにおいて、速度を増加させ、かつ電力消費を低下させることに対する必要性が、当該技術分野において存在する。
【０００７】
実施形態の態様に従って、実施形態に従うシステム、方法、および浸し水が、高出力レーザを必要とせずに、湿し水画像を生成するために提供される。実施形態の態様は、インク付けされかつ印刷基材に転写することができる、または最終基材にインク付けおよび転写するためのドラムもしくはベルトの表面などの、シリコーン表面に湿し水画像を代替的に転写する、電子写真的に作成された電荷像の霧現像によって、湿し水画像を作成することを引き起こす。
【図面の簡単な説明】
【０００８】
【図１】従来技術のインク系のデジタル印刷システムを示すシステムのブロック図を例解する。
【図２】一実施形態による、電子写真的に作成された電荷像の霧現像を含む可変リソグラフィのためのシステムの側面図である。
【図３】別の実施形態による、電子写真的に作成された電荷像の霧現像を含み、ローラなどの表面への湿し水画像の転写を含む、可変リソグラフィのためのシステムの側面図である。
【図４】一実施形態による、インク系デジタル印刷システムにおける電荷像の霧現像を示す。
【図５】一実施形態による、任意に再作像可能な表面上に電荷像を霧現像するための方法のフローチャートである。
【図６】一実施形態による、転写部材を有するインク系デジタル印刷システムにおいて、任意に再作像可能な表面上に電荷像を霧現像するための方法のフローチャートである。
【発明を実施するための形態】
【０００９】
添付の図面を参照することにより、本明細書に開示されたプロセスおよび装置のより完全な理解が得られる。これらの図は、便宜性および既存の技術および／または現在の開発の実証の容易さに基づく概略的な表現に過ぎず、したがって、アセンブリまたはその構成部品の相対的なサイズおよび寸法を示すことを意図するものではない。図面において、同じ参照番号が、同様のまたは同一の要素を示すために、全体を通して使用されている。
【００１０】
一態様において、インク印刷に有用なインク系デジタル印刷システムは、作像部材上に湿し水画像を運ぶように構成された作像部材と、作像部材上の第１の極性の静電荷像を形成する画像形成ユニットと、作像部材に近接し、静電荷像に引き寄せられて、作像部材上に湿し水画像を形成する帯電液滴の霧を形成するように適合された現像ユニットと、インク付けシステムと、を備え、インク付けシステムは、インク画像を現像するために、湿し水画像によって空間的に制御されながらインクを適用するように構成されている。
【００１１】
さらなる態様において、システムは、インク付けされた画像を作像部材から画像受容媒体基材に転写するプロセス方向において、インク付けシステムの下流に位置決めされたインク画像転写ステーションをさらに含み、インク付けシステムは、作像部材上の湿し水画像にインクを適用して、インク付けされた画像を生成する。
【００１２】
さらに別の態様において、システムは、湿し水画像の制御された部分を転写部材上に分割するための、作像部材とともに転写ニップを形成する、転写部材をさらに備え、インク付けシステムは、転写部材上の湿し水画像の部分にインクを適用して、インク付けされた画像を生成し、インク付けされた画像は、ターゲット画像受容媒体基材に適用される。
【００１３】
別の態様において、システムは、現像液ユニットが、湿し水を受容するための入口と、帯電液滴の霧を形成する放出部と、をさらに含み、帯電液滴の霧が、湿し水の複数の実質的に不均一なサイズの電気的に帯電された液滴を含む。
【００１４】
さらに別の態様において、システムは、現像ユニットが、現像ユニットから湿し水を除去するための出口をさらに含む。
【００１５】
別のさらなる態様において、システムは、現像ユニットが、帯電液滴を作像部材に案内するように、放出部に近接して、かつ帯電液滴の霧に沿って配設された帯電表面をさらに備える。
【００１６】
別の態様において、システムは、帯電液滴の霧が、作像部材上の静電荷像を中和するまで、帯電液滴の霧が静電荷に引き寄せられる。
【００１７】
さらに別の態様において、システムは、画像形成ユニットおよび現像ユニットを制御することによって、所望の厚さを有する形成された湿し水画像を作成するためのコントローラをさらに備える。
【００１８】
さらに別の態様において、システムは、画像形成ユニットが、電子写真作像システムおよびイオノグラフィック作像システムのうちの少なくとも１つである。
【００１９】
さらなる態様において、システムは、液浸流体が、シリコーン流体（Ｄ４、Ｄ５、ＯＳ２０、ＯＳ３０を含む）、アイソパー流体から本質的になる群から選択される湿し流体を含む。
【００２０】
別の態様において、作像部材が、シリコーンエラストマー、フルオロシリコーンエラストマー、およびバイトンから本質的になる群から選択された表面を備える。
【００２１】
別の態様において、システムは、転写部材をさらに含み、作像部材および転写部材は、流体画像装填ニップを形成し、転写部材は、形成された湿し水画像を画像流体装填ニップにおいて受容するように適合される。
【００２２】
別の態様において、システムは、帯電液滴の霧が、凍結粒子からなる。
【００２３】
別の態様において、システムは、現像ユニットが、湿し水から液滴を作成し、該液滴をキャリアガス中に懸濁して、帯電液滴の霧を形成する。
【００２４】
さらなる態様において、湿し水を使用するインク系デジタル印刷の方法は、画像形成ユニットおよび現像ユニットを用いて、像部材上に湿し水画像を形成することであって、現像ユニットが、作像部材に近接して位置決めされており、かつ静電荷像に引き寄せられて、作像部材上に湿し水画像を形成する帯電液滴の霧を形成するように適合されている、形成することと、形成された湿し水画像に従って、インク付けシステムを用いてインクを適用して、インク付けされた画像を生成することと、インク転写ニップにおいて、インク付けされた画像を印刷基材に転写することと、を含む。
【００２５】
特定の用語が、明瞭さのために以下の記載において使用されているが、これらの用語は、図面内の例解のために選択された実施形態の特定の構造のみを参照することを意図し、本開示の範囲を定義または限定することを意図するものではない。以下の図面およびそれに続く記載において、同様の数字表示は、同様の機能の構成部品を指すことを理解されたい。
【００２６】
「湿し流体（ｄａｍｐｅｎｉｎｇ  ｆｌｕｉｄ）」、「湿し水（ｄａｍｐｅｎｉｎｇ  ｓｏｌｕｔｉｏｎ）」、および「湿し水（ｆｏｕｎｔａｉｎ  ｓｏｌｕｔｉｏｎ）」という用語は、概して、基材に付着し、インクが基材に付着しないようにするために、インク付けニップ内で分割する材料を指す。場合によっては、湿し水は、基材に付着し、別様に基材に付着しないインクを結合する場合がある。以下では、以前の使用法について説明するが、いずれの様式においても適用されると解釈されるべきである。溶液または流体は、概して、水蒸気によって、または部材を湿し流体で均一に濡らすための一連のローラを通る濡れた作像部材との直接的な接触によってなど、空中状態において適用される、水または水系の湿し水であり得る。溶液または流体は、例えば、シリコーン流体（Ｄ３、Ｄ４、Ｄ５、ＯＳ１０、ＯＳ２０、ＯＳ３０など）、アイソパー流体、ポリフッ素化エーテル、またはフッ素化シリコーン流体からなる非水性であってもよい。
【００２７】
量に関連して使用される修飾語「約」は、記載された値を包含し、文脈によって規定される意味を有する（例えば、特定の量の測定に関連付けられた少なくとも誤差の程度を含む）。特定の値を使用するとき、その値を開示することも考慮されるはずである。例えば、「約２」という用語はまた、値「２」を開示し、「約２〜約４」という範囲もまた、「２〜４」という範囲を開示する。
【００２８】
本発明の実施形態は、この点に限定されないが、本明細書で使用される「複数（ｐｌｕｒａｌｉｔｙ）」および「複数の（ａ  ｐｌｕｒａｌｉｔｙ）」という用語は、例えば、「複数（ｍｕｌｔｉｐｌｅ）」または「２つ以上」を含んでもよい。「複数（ｐｌｕｒａｌｉｔｙ）」または「複数の（ａ  ｐｌｕｒａｌｉｔｙ）」という用語は、２つ以上の構成部品、デバイス、要素、ユニット、パラメータ、または同様のものを記載するために明細書全体にわたって使用されてもよい。例えば、「複数のステーション」は、２つ以上のステーションを含むことができる。「第１」、「第２」などの用語は、本明細書において順序、量、または重要性を示すものではなく、ある要素を別の要素と区別するために使用される。本明細書における「ａ」および「ａｎ」という用語は、量の限定を意味するのではなく、参照された項目のうちの少なくとも１つの存在を示す。
【００２９】
本明細書で使用する「印刷デバイス」、「印刷システム」、または「デジタル印刷システム」という用語は、デジタル複写機またはプリンタ、スキャナ、画像印刷機、デジタルプロダクションプレス、文書処理システム、画像再生機、製本機、ファクシミリ機、多機能機などを指し、いくつかのマーキングエンジン、送り機構、走査組立体、ならびに紙送り装置、仕上げ機などの他の印刷媒体処理ユニットを含むことができる。デジタル印刷システムは、用紙、ウェブ、マーキング材料、などを取り扱うことができる。デジタル印刷システムは、任意の表面上などに印を付けることができ、入力用紙上の印を読み取るいずれの機械であり得、またはそのような機械の任意の組み合わせである。
【００３０】
「受容媒体」という用語は、概して、プレカットまたはウェブのいずれかで供給される、通常可撓性であり、時々湾曲する物理的な紙用紙、印刷基材、プラスチック、または他の好適な物理的な画像のための印刷媒体基材を指す。
【００３１】
図１は、本開示の一実施形態による可変データリソグラフィ用のインク系のデジタル印刷システムを示す。システム１０は、異なる画像が、本実施形態においてはドラム上のブランケット、しかし等価的に版、ベルトなどでもよい、表面層上に作成され得るので、作像部材１２または任意に再作像可能な表面を備え、それは、以下にさらに詳細に考察される凝縮系湿し流体サブシステム１４、光学パターン化サブシステム１６、インク付けサブシステム１８、作像部材１２から基材２４にインク供給された画像を転写するための転写サブシステム２２、および最終表面洗浄サブシステム２６に囲まれている。他の任意の他の要素は、レオロジー（複素粘弾性係数）制御サブシステム２０、厚さ測定サブシステム２８、制御サブシステム３０などを含む。例示的なシステム１０内の作像部材１２は、転写ニップ１６０で、インク付けされた画像をターゲット画像受容媒体基材２４に適用するために使用される。転写ニップ１６０は、画像転写機構２２の一部として、作像部材１２の方向に圧力を加える押圧ローラによって生成される。上述のように、光学パターン化サブシステム１６は、複雑で高価であり、システム全体の総電力消費の大部分を占める。
【００３２】
このように可変データリソグラフィのためのデジタル印刷システムを概説し、様々な動作シーケンスを説明してきたが、ここで、さらなる実施形態を示す図２〜４を参照する。これらの実施形態は、増加したシステム速度、より低いシステムコスト、および向上した版寿命を有する可変データリソグラフィシステムにおける、電力消費を低減するための当該技術分野における必要性を満たす。具体的には、図２〜５内に開示されている実施形態は、霧現像および電子写真／イオノグラフ作像システムを使用して湿し水画像を作成し、次いで、任意に、湿し水画像をフルオロシリコーン版に転写する。デジタルリソグラフィにおける電子写真印刷の使用は、レーザ出力要件を下げ、カスタマイズされたフルオロシリコーン版を必要とする従来のレーザ蒸発技術よりも数倍速いことが知られている。特に明記しない限り、前述したものと同様の要素は、同じ参照番号を付され、同じ機能を果たす。
【００３３】
図２は、一実施形態による、電子写真的に作成された電荷像の霧現像を含む可変リソグラフィ１００のためのシステムの側面図である。画像は、システム１００の供給源からのものでも、メモリなどの他のデバイスからの外部のものでもよい。特に、図２は、画像を作成するための作像部材１２を示す。作像部材１２は、電荷保持表面を含むことができる。一実施形態において、作像部材表面は、感光体、セラミック版、シリコーンエラストマー、フルオロシリコーンエラストマーおよびバイトンを含み得る。好ましくは、作像部材表面は、感光体であり得るが、絶縁表面が、同様にイオノグラフィック作像システムを伴い使用される場合もある。システムは、作像部材表面に隣接して配設された湿し流体／インク除去システム２６を含み得る。システムは、作像部材１２の表面を第１の極性に帯電させるように配置および構成された帯電ステーション２４０を含み得る。システムは、作像部材１２の表面上に静電潜像（図示せず）または帯電画像を生成するための画像データに従って、均一に帯電された光導電性表面を選択的に露出するように構成されたラスタ出力スキャナ（「ＲＯＳ」）または作像装置形成ユニット（作像装置）２５０を含み得る。代替的な実施形態において、システム２００は、イオノグラフィック帯電または放電を使用して、電荷像を作成する。
【００３４】
システムは、作像部材１２の表面上に均一の湿し水層（図示せず）を表現するための現像ユニット２６０または流体計量システムを含み得る。湿し水は、ＲＯＳ作像装置２５０によってその上に画定された静電潜像に従って、作像部材表面の部分に付着するように構成される。湿し水は、エレクトロスプレーまたは他の霧化手段によって作成された帯電液滴として湿し流体を含む。好ましくは、湿し水は、帯電液滴（帯電霧）を作像部材１２上の逆帯電した領域に運ぶために、窒素などのガスによって搬送される。
【００３５】
湿し水画像が形成された後、インカー１８からのインクが、転写部材表面２３１に適用されて、インクパターンまたはインク付けされた画像を形成する。インクパターンまたはインク付けされた画像は、湿し流体パターンのネガティブであり得、またはそれに対応してもよい。インク画像は、作像部材１２および基材搬送ロール２２によって形成された、インク画像転写ニップ１６０で媒体２４に転写することができる。基材搬送ロール２４０は、用紙搬送部２２によって運ばれる印刷媒体へのインク付けされた画像の接触転写を容易にするために、例えば、作像部材表面１２に抗して用紙搬送部２４を付勢することができる。
【００３６】
システムは、インク画像転写ニップ１６０でインク画像を転写する前に、インク画像のインクの粘度を増加させるために、図１の２０のようなレオロジー調整システムを含むことができる。システムは、例えば、作像部材１２から用紙搬送部２２によって運ばれる媒体へのインク画像の転写後に、媒体上のインク画像を硬化させるための硬化システム２６５を含むことができる。レオロジー調整システムは、媒体プロセス方向に関して、転写ニップ１６０の前に位置決めされ得る。硬化システム２６５は、媒体プロセス方向に関して、ニップ１６０の後に位置決めされ得る。インク画像を作像部材１２から印刷媒体に転写した後、残留インクは、クリーニングシステム２６によって除去され得る。
【００３７】
作像部材表面から湿し流体パターンを転写した後、作像部材１２は、ブランケット調整システム２２０を使用して、湿し流体および固体粒子を除去することにより、新しいサイクルに備えてさらに洗浄され得る。作像部材表面を洗浄するための様々な方法が使用され得る。作像装置２５０によって生成された熱、およびローラと作像部材１２との間の摩擦接触によって生成した熱に起因して、印刷動作の間に作像部材の温度を下げる必要があり得る。実施形態において、ブランケットは、より低温の印刷基材２４と接触することによって、および熱を除去した後に、それ自体を冷却することができる。任意に、エアジェット生成デバイスなどのブランケットチラー２１０が、冷却を加速するために使用され得る。これは、非常に高速での印刷に特に好適である。
【００３８】
作像装置２５０、現像ユニット２６０、および可変リソグラフィ用システムの他の動作は、コントローラ３００によって制御することができる。制御器３００は、デスクトップコンピュータ、ラップトップコンピュータ、ハンドヘルドコンピュータ、埋め込みプロセッサ、ハンドヘルド通信デバイス、または別のタイプの計算デバイスなどのようなデバイス内で実施することができる。コントローラ３００は、メモリ、プロセッサ、入力／出力装置、ディスプレイ、およびバスを含み得る。バスは、コントローラ３００またはコンピューティングデバイスの構成要素間の通信および信号の転送を可能にし得る。
【００３９】
図３は、別の実施形態による、電子写真的に作成された電荷像の霧現像を含み、ローラなどの表面への湿し水画像の転写を含む、可変リソグラフィのためのシステム２００の側面図である。例解された実施形態において、作像部材１２上の電子写真的またはイオノグラフィック的に湿し水画像の作成、次いで印刷基材でさらに処理するために、それをドラム３４０のようなインク付けブランケットに転写（分割）することが示される。電子写真またはゼログラフィにおいて、従来のＲＯＳスキャナ、ＬＥＤバー、または表面を放電する他の手段を備える作像装置２５０が、実装され得、画像データに従って感光体表面の一部を選択的に放電して、作像部材の表面上に配設された静電潜像を生成するように構成され得る。イオノグラフィにおいて、作像装置２５０は、帯電ステーション２４０によって帯電された後に、イオンビーム、すなわち、所与の極性のイオンを作像部材１２上の表面のような、誘電体表面上に投影するための画像投影ヘッドを備える。
【００４０】
システム２００はまた、作像部材１２の表面上に均一な湿し水層（図示せず）を表現するための現像ユニット２６０を含む。湿し水は、作像装置２５０によってその上に現像された静電潜像に従って、作像部材表面の部分に付着するように構成される。現像ユニット２６０は、入口ポート（Ｐ１）に入る湿し水２６５を霧化し、かつ帯電させる手段を含む。容器からの湿し水を装填したポンプが、湿し水を、例えば、エレクトロスプレー噴霧器に、制御された速度で供給する。サンプルの湿し水は、シリコーン流体（Ｄ４、Ｄ５、ＯＳ２０、ＯＳ３０）、またはアイソパー流体であり得る。流体は、液滴の帯電を補助するための帯電制御剤を含有し得る。所定量で添加された窒素などのガスが導入されて、霧化溶液を作像部材１２の表面に運ぶ。現像ユニット２６０は、未使用の湿し水２６８を容器に戻すための出口ポート（Ｐ２）を有する。現像ユニット２６０は、チャンバ、および版２７５の近くの半径方向拡大領域２７２をさらに含み、ここで、放出チャンバ４１０からの帯電液滴２７０の霧は、霧化した湿し水を、作像部材１２の表面上の帯電領域に運ぶことができる。
【００４１】
転写部材３４０は、作像部材１２を伴い、湿し水画像装填ニップ３１０を形成するように構成され得る。作像部材１２の表面上で現像ユニット２６０および画像形成ユニット２５０によって生成された湿し水画像は、装填ニップにおいて加圧下で転写部材３４０の表面に転写される。特に、軽い圧力が、転写部材表面３４０と作像部材表面１２との間に適用され得る。湿し水装填ニップにおいて、湿し水画像は、ニップを離れるにつれて分割し、ある量の湿し流体を転写部材３４０に転写して、湿し水流体画像３３０を形成する。転写される湿し流体または湿し水の量は、ニップ３１０の接触圧力調節によって調節され得る。例えば、約１マイクロメートル以下の湿し流体層を、転写部材表面３４０に転写することができる。作像部材表面から湿し水パターンを転写した後、作像部材１２は、除去システム３２０を使用して、湿し流体および固体粒子を除去することにより、新しいサイクルに備えて洗浄され得る。作像部材表面を洗浄するための様々な方法が、使用され得る。湿し水画像３３０が転写部材３４０に転写された後、インカー１３からのインクが、転写部材表面３４０に適用されて、インクパターンまたは画像を形成する。インクパターンまたは画像は、湿し水パターンのネガティブであり得るか、またはそれに対応し得る。インク画像は、転写部材３４０および基材搬送ロール２２によって形成された、インク画像転写ニップで印刷媒体２４に転写することができる。基材搬送ロール２２は、転写部材３４０から用紙搬送部２２によって運ばれた媒体へのインク画像の接触転写を容易にするために、例えば、転写部材表面３４０に抗して用紙搬送部２４を付勢することができる。作像部材１２のように、転写部材３４０は、装填ニップ３１０における湿し流体画像の装填を強化するために、電気的にバイアスされてもよい。
【００４２】
図４は、一実施形態による、インク系デジタル印刷システムにおける電荷像の霧現像を示す。本明細書において使用される際、「霧現像」という用語は、帯電した液体または霧状の液滴などの凍結粒子を使用することによる画像の作成である。
【００４３】
このように可変データリソグラフィのためのデジタル印刷システムを概説し、様々な動作シーケンスを説明したので、次に、簡略化のためにある要素を省略したさらなる実施形態を示す図４を参照する。特に明記しない限り、前述したものと同様の要素は、同じ参照番号を付され、同じ機能を果たす。例解されたセグメントは、表面上に湿し水画像を作成する代替的な、かつ改良された手段として、電子写真画像の霧現像を使用する。
【００４４】
図４に示されるように、直径が約１ミクロンの液滴の霧２７０が帯電され、表面作像部材１２上の電荷像に表現される。示された表面は、感光体であり得るが、用途がイオノグラフィック作像システムであるとき、絶縁表面が、電荷表面を形成するために使用されることもある。現像ユニット２６０は、例えば、エレクトロスプレーまたは他の噴霧化手段、および第１のポート（Ｐ１）で受容した湿し水の帯電によって、帯電液滴を作成することができる。窒素などのガスは、帯電液滴２７０の霧を、電界（液滴と表面との間の相互引力）が液滴を電荷像の帯電領域に案内するドラムまたはベルトであり得る、作像部材１２上の回転する逆電荷像に運ぶ。液滴は、狭いサイズ分布および電荷対質量比（Ｃ／Ｍ）を有することが望ましいが、必須ではない。液滴は、望ましくは、約１ミクロンの直径を有する。２０×２０ミクロンの面積の画素（１２００ｄｐｉの画像に対応）および約２００ナノメートル（ｎｍ）のターゲット湿し水の厚さは、所望の適用範囲を提供するために約１５０滴を必要とするであろう。潜像の表面電荷密度（帯電ステーション２４０によって生成）は、表面電荷が、霧帯電液滴によって任意に中和されるか、または部分的に中和されるまで、ある量の湿し水を引き付ける。作像部材、および互いとの付着力は、液滴を作像部材１２の表面上に留まらせるであろう。
【００４５】
コントローラ３００を用いて等、電荷対質量比、液滴体積パラメータ、およびエレクトログラフィック表面電荷密度を、所望の厚さの湿し水に制御することによって、作像部材１２上の潜像領域を制御可能に被覆することができる。現像ハウジングの壁の電圧は、帯電液滴が画像の帯電していない領域から反発するように設定することができる。潜像電荷が存在しない場合、液滴は、作像部材１２の表面に接触し、かつその上に付着することはなく、または静電的に反発することができる。未使用の自由液滴は、第２のポート（Ｐ２）を通って再利用することができる。加えて、版２７５に適用される交流（ＡＣ）電場のような電圧４２０は、帯電表面４４０を生成して、帯電壁電位を生じさせ、それは、放電領域の近くの液滴の数を低減させることができ、また、放電表面４４０が放電ポート４１０および帯電液滴の霧の近位に配設されるので、静電気力は、帯電した液滴を作像部材１２の表面に案内するのを助けることができる。
【００４６】
一度生成された霧は凍結することができることに留意すべきである。例えば、Ｄ４のような湿し水は、１７．５℃で凍結する。したがって、窒素のようなキャリアガスおよび現像ユニット２６０のハウジングが、１７℃を下回って維持される場合、霧２７０は、凍結粒子からなるはずである。そのような凍結粒子は、作像部材１２の外側表面のような表面上の液体の毛細管拡散力を制御することに有用であり得る。このような粒子が電子写真表面と転写部材３４０との間のニップ３１０までずっと凍結したままである場合、ニップ圧力は、湿し水を溶融し、転写部材３４０を濡らすように作用することができる。代替的に、熱源は、転写部材に転写する直前に湿し粒子を溶融するために使用することができる。さらに別の代替案において、準拠したシリコーン転写部材３４０は、固体湿し粒子に優先的に付着し、シリコーン版に効果的に転写することができ、ここでそれらはインク付けの前に続いて溶融することができる。
【００４７】
図５は、一実施形態による、任意に再作像可能な表面上に電荷像を霧現像するための方法５００のフローチャートである。特に、図５は、インク系デジタル印刷プロセス５００を示す。方法は、５１０において、感光体などの作像部材１２の表面を均一な電位に帯電させることを含んでもよい。５２０において、作像部材１２の帯電表面は、ＲＯＳ作像装置などの電子写真作像装置またはイオノグラフィック作像装置に露出されて、印刷される画像の画像データに従って、表面の一部を選択的に放電して、静電潜像または静電荷像を形成することができる。
【００４８】
静電潜像の作成後、制御は、次いで、現像ユニット２６０を使用して画像を現像するためのアクション５３０に進み、相補的電荷を有する作像部材１２の一部に付着させるために、液滴／粒子を電気的にバイアスまたは帯電された湿し水の帯電霧を使用する。アクション５３０の結果として、湿し水画像が、作像版上に湿し流体をパターニングするために現在使用され、出力使用量の大部分を占め、かつ印刷速度の低減の原因となる、高出力レーザを必要とせず、生成される。次いで、制御は、さらなる処理のためにアクション５４０に進む。
【００４９】
方法は、アクション５４０において、湿し水画像を有する作像部材表面にインクを付けすることを含み得る。インクは、湿し水画像に従って、転写部材の部分に付着し得る。例えば、インクは、湿し水画像に関してポジティブまたはネガティブの画像またはパターンを形成し得る。方法は、アクション５５０において、インク画像転写ニップでインク画像を記録媒体に転写することを含み得る。転写ニップは、図２および図３に示すように、転写ロール２２、および作像部材１２またはドラム３４０によって形成することができ、カットシートまたは連続ウェブにかかわらず、介在する記録媒体に圧力を適用するように構成することができる。
【００５０】
図６は、一実施形態による、転写部材を有するインク系デジタル印刷システムにおいて、任意に再作像可能な表面上に電荷像を霧現像するための方法６００のフローチャートである。
【００５１】
特に、図６は、インク系デジタル印刷プロセス６００を示す。方法は、６１０において、感光体などの作像部材１２の表面を均一な電位に帯電させることを含んでもよい。６２０において、作像部材１２の帯電表面は、ＲＯＳ作像装置などの電子写真作像装置またはイオノグラフィック作像装置に露出されて、印刷される画像の画像データに従って、表面の一部を選択的に放電して、静電潜像または静電荷像を形成することができる。
【００５２】
静電潜像の作成後、制御は、次いで、現像ユニット２６０のような現像装置を使用して画像を現像するためのアクション６３０に進み、相補的電荷を有する作像部材１２の部分に付着させるために、液滴／粒子を電気的にバイアスまたは帯電された湿し水の霧を使用する。湿し水の霧で静電画像を現像することは、液体インク印刷に関連付けられた湿度に対する感度を克服する。アクション６３０の結果として、湿し水画像が、作像版上に湿し流体をパターニングするために現在使用され、出力使用量の大部分を占めかつ印刷速度の低減の原因となる、高出力レーザを必要とせず、生成される。次いで、制御は、さらなる処理のためにアクション６３５に進む。
【００５３】
方法は、Ｓ５０９で、作像部材１２および転写部材３４０によって形成された装填ニップ３１０で、溶液画像の湿し水を転写部材３４０に転写することを含み得る。それによって、湿し水画像が形成され、それが現像ユニット２６０によって現像された際の作像部材の湿し水画像に対応する。方法は、溶液画像が作像部材から転写部材３４０に転写される際、湿し水画像を作像部材の表面上に保持するために、作像部材１２および転写部材３４０をバイアスすることを含み得る。
【００５４】
方法は、アクション６４０において、湿し水画像を有する作像部材表面にインク付けすることを含み得る。インクは、湿し水画像に従って、転写部材の部分に付着し得る。例えば、インクは、湿し水画像に関してポジティブまたはネガティブの画像またはパターンを形成し得る。方法は、アクション６５０において、インク画像転写ニップでインク画像を記録媒体に転写することを含み得る。転写ニップは、図２および図３に示すように、転写ロール２２、および作像部材１２またはドラム３４０によって形成することができ、カットシートまたは連続ウェブにかかわらず、介在する記録媒体に圧力を適用するように構成することができる。
【図１】
2020008846.tif 000003
【図２】
2020008846.tif 000004
【図３】
2020008846.tif 000005
【図４】
2020008846.tif 000006
【図５】
2020008846.tif 000007
【図６】
2020008846.tif 000008